(57)【要約】  生理用パンツと吸収性物品とを含むシステム。生理用パンツは、前面部と、背面部と、前面部と背面部との間の橋渡しをするように設けられる股部であって、生理用ナプキンをフィットさせるために使用される股部と、前面部の上縁部及び背面部の上縁部に設けられる腰部開口部と、前面部の両側縁部及び背面部の両側縁部の下方に設けられる一組の脚部開口部と、後部の長手方向中心線に沿って配置された引き上げストリップと、を有することができる。生理用パンツは、股部を通って着用者の身体に長手方向に２５ｇ／ｃｍ２〜１００ｇ／ｃｍ２の身体接触圧をかけることができる。吸収性物品は、身体に面する表面を有するトップシートと、該トップシートに結合されたバックシートと、該トップシートと該バックシートとの間に配置された吸収性コアと、を有することができる。吸収性物品は、少なくとも約１２ｃｍの３０分垂直ウィッキング高さを呈することができる。
2015512302.tif 000002
【特許請求の範囲】
【請求項１】
ａ．生理用パンツであって、
ｉ．前面部と、
ｉｉ．背面部と、
ｉｉｉ．前記前面部と前記背面部との間の橋渡しをするように設けられる股部であって、生理用ナプキンをフィットさせるために使用される股部と、
ｉｖ．前記前面部の上縁部及び前記背面部の上縁部に設けられる腰部開口部と、
ｖ．前記前面部の両側縁部及び前記背面部の両側縁部の下方に設けられる一組の脚部開口部と、
ｖｉ．後部の長手方向中心線に沿って配置された引き上げストリップと、
を有し、
前記股部を通って着用者の身体に長手方向に２５〜１００ｇ／ｃｍ２の身体接触圧をかける、
という生理用パンツと、
ｂ．吸収性物品であって、
身体に面する表面を有するトップシートと、
前記トップシートに結合されたバックシートと、
前記トップシートと前記バックシートとの間に配置された吸収性コアと、
を有し、
少なくとも約１２ｃｍの３０分垂直ウィッキング高さを呈する、
という吸収性物品と、
を備えるシステム。
【請求項２】
前記吸収性物品は、前記着用者の陰唇間の隙間内に位置付けることができる長手方向中央領域を有し、
前記長手方向中央領域は、当該長手方向中央領域の横外側寄りに位置する前記吸収性物品の少なくともいくつかの部分より高い高さで、前記着用者の陰唇間の前記隙間内に存在できる、請求項１に記載のシステム。
【請求項３】
前記吸収性物品は、着用者の大腿の内側部分による圧縮なしでそのような構成を呈することができる、請求項２に記載のシステム。
【請求項４】
前記吸収性コアは、横断方向中心線に対して非対称である、請求項１〜３のいずれか一項に記載のシステム。
【請求項５】
前記吸収性コアは、ＨＩＰＥフォームを含む、請求項１〜４のいずれか一項に記載のシステム。
【請求項６】
前記吸収性物品は、少なくとも約１５ｃｍの６０分垂直ウィッキング高さを呈する、請求項１〜５のいずれか一項に記載のシステム。
【請求項７】
前記引き上げストリップは、前記股部を通って前記着用者の身体に長手方向に２５〜７０ｇ／ｃｍ２の身体接触圧をかける、請求項１〜６のいずれか一項に記載のシステム。
【請求項８】
前記吸収性物品は、前記着用者の陰唇の内面を前記着用者の膣前庭床まですべて、及び前記着用者の陰唇の外面をすべて、実質的に覆うことができる、請求項１〜７のいずれか一項に記載のシステム。
【請求項９】
前記生理用パンツは、２００ｇ／ｃｍ〜２０００ｇ／ｃｍ、好ましくは３００ｇ／ｃｍ〜７００ｇ／ｃｍの腰部から臀部への力の合計を更に含む、請求項１〜８のいずれか一項に記載のシステム。
【請求項１０】
前記生理用パンツの引き上げ部材の長手方向長さの貫通部材であって、当該長手方向長さの貫通部材が、前記生理用パンツの全体のピッチより、約０．５％〜約２０％短い、請求項１〜９のいずれか一項に記載のシステム。
【発明の詳細な説明】
【技術分野】
【０００１】
本発明は、生理用パンツと吸収性物品とを含むシステムに関する。
【背景技術】
【０００２】
多くの種類の使い捨て吸収性物品と異なり、パッド及びパンティーライナーのような吸収性物品は特に、月経液を獲得するように設計されている。月経液は尿のような他の排出物とは、粘度など多くの重要な特性において異なっている。そのため、吸収性物品で月経液を最大に吸収するように最適化させるためには、構造上の構成要素の点で乳児用おむつのような装置とは異なる必要がある。
【０００３】
吸収性物品の場合、流体の放出（fluid insult）は、生理化学的特性（例えば、粘度、流体力学など）との関連、体積、及び吸収される時間において非常に異なる特性を有する。例えば、月経出血は一般に２つのパターンからなる。このうちの１つは「少量」出血であり、毎時０．１〜２ｍＬの範囲でばらつきがある。２番目のパターンは「噴出」出血であり、数秒間に放出される量は数ｍＬ以上であり、ばらつきがある。噴出出血は、膣内に溜まった経血の蓄積から生じることがあり、座位から立位への移行のような姿勢の変化時に身体の外に流出することがある。いずれにせよ、噴出出血であっても、所定の時間内にコアに吸収される必要がある総流量は、例えば、乳児用おむつのような他の吸収性製品で必要な量よりもはるかに少ない。１つの実用的な成果は、噴出する流体を処理する設計を必要とするのではなく、より一般的に「吸い取り」効果によって流体を処理する吸収性物品である。
【０００４】
望ましくは、吸収性物品は着用者の身体との接触を維持し、可能な限り密にぴったり合う必要がある。このような身体にぴったり合う能力は、経血が吸収性物品の周囲を伝って漏れる可能性を低減することにより、吸収性物品の有効性を高めることができる。身体にぴったり合う特性を提供するために、多くの生理用パンツは、腰部から臀部への力及び股部領域内の長手方向の力など、生理用パンツが身体に加える力を増強している。これらの力は、従来の下着より高く、着用者の不快感の原因になり得る。
【０００５】
それ故に、より多くの経血が装置内に入って残留し、着用者の皮膚又は毛髪上に残留する経血が少なくなるように、改善された流体処理を有する吸収性物品の必要性が引き続き存在する。
【発明の概要】
【発明が解決しようとする課題】
【０００６】
加えて、着用者の身体によりよくフィットする改善されたボディーフィットを有する生理用パンツと組み合わせる吸収性物品の必要性が引き続き存在する。
【課題を解決するための手段】
【０００７】
生理用パンツ及び吸収性物品を含むシステムが提供される。生理用パンツは、前面部と、背面部と、前面部と背面部との間の橋渡しをするように設けられ、生理用ナプキンをフィットさせるために使用される股部と、前面部の上縁部及び背面部の上縁部に設けられる腰部開口部と、前面部の両側縁部及び背面部の両側縁部の下方に設けられる一組の脚部開口部と、後部の長手方向中心線に沿って配置された引き上げストリップと、を有する。生理用パンツは、股部を通って着用者の身体に長手方向に２５ｇ／ｃｍ２〜１００ｇ／ｃｍ２身体接触圧をかける。吸収性物品は、身体に面する表面を有するトップシートと、該トップシートに結合されたバックシートと、該トップシートとバックシートとの間に配置された吸収性コアと、を有する。吸収性物品は、少なくとも約１２ｃｍの３０分垂直ウィッキング高さを呈する。
【０００８】
生理用パンツも提供される。生理用パンツは、前面部と、背面部と、前面部と背面部との間の橋渡しをするように設けられる股部であって、生理用ナプキンをフィットさせるために使用される股部と、前面部の上縁部及び背面部の上縁部に設けられる腰部開口部と、前面部の両側縁部及び背面部の両側縁部の下方に設けられる一組の脚部開口部と、後部の長手方向中心線に沿って配置された引き上げストリップと、を有する。生理用パンツは、股部を通って着用者の身体に長手方向に２５ｇ／ｃｍ２〜１００ｇ／ｃｍ２の身体接触圧をかける。
【図面の簡単な説明】
【０００９】
本明細書の末尾には、本発明の主題を具体的に特定すると共に個別に請求する「特許請求の範囲」が添付されているが、本発明は以下の説明を付属の図面と共に参照することで更に容易に理解されると考えられる。
【図１】有孔トップシート及びローション組成物を有する吸収性物品の平面図である。
【図２】有孔トップシート及びローション組成物を有する吸収性物品の平面図である。
【図３】ある使用中の構成の、本発明の吸収性コアの斜視図である。
【図４】本発明の吸収性コアの特徴を示す平面図である。
【図５】本発明の吸収性コアの特徴を示す平面図である。
【図６】本発明の吸収性コアの特徴を示す平面図である。
【図７】本発明の吸収性物品と併用する生理用パンツ又はパンティーの好ましい実施形態の正面図である。
【図８】本発明の吸収性物品と併用する生理用パンツ又はパンティーの好ましい実施形態の背面図である。
【図９】着用者の脚が離れているとき、先行技術の従来のパンティーがしばしばフィットする状態を示す、着用者の身体の一部を通る横方向での断面図である。
【図１０】着用者の脚が揃っているとき、先行技術の従来のパンティーがしばしばフィットする状態を示す、着用者の身体の一部を通る横方向での断面図である。
【図１１】着用者の脚が離れているとき、本発明の吸収性物品と併用する生理用パンツ又はパンティーがフィットする状態の一実施例を提供する着用者の身体の一部を通る横方向での断面図である。
【図１２】着用者の脚が揃っているとき、本発明の吸収性物品と併用する生理用パンツ又はパンティーがフィットする状態の一実施例を提供する着用者の身体の一部を通る横方向での断面図である。
【発明を実施するための形態】
【００１０】
生理用パンツ及び吸収性物品を含むシステムが提供される。生理用パンツは、前面部と、背面部と、前面部と背面部との間の橋渡しをするように設けられる股部であって、生理用ナプキンをフィットさせるために使用される股部と、前面部の上縁部及び背面部の上縁部に設けられる腰部開口部と、前面部の両側縁部及び背面部の両側縁部の下方に設けられる一組の脚部開口部と、後部の長手方向中心線に沿って配置された引き上げストリップと、を有する。生理用パンツは、股部を通って着用者の身体に長手方向に２５ｇ／ｃｍ２〜１００ｇ／ｃｍ２の身体接触圧をかけることができる。吸収性物品は、身体に面する表面を有するトップシートと、該トップシートに結合されたバックシートと、該トップシートとバックシートとの間に配置された吸収性コアと、を有する。吸収性物品は、少なくとも約１２ｃｍの３０分垂直ウィッキング高さを呈することができる。
【００１１】
吸収性物品は、着用者の陰唇の内面、着用者の陰唇の外面と接触を維持することができ、着用者の陰唇の内面、着用者の陰唇の外面、及び生理用パンツ又はパンティーを覆う。これら３つの表面すべてを被覆することにより、吸収性物品には、優れた漏れ防止を提供しかつ着用者の身体を経血の付いていない清潔な状態に保つという最も有利な条件がもたらされる。吸収性物品は、着用者の大陰唇の内側及び外側の面に快適にフィットしかつぴったり合う生理用パンツ又はパンティーと共に着用されるのが好ましい。このようなぴったり合うフィット性は、着用者の脚が離れているか、又は揃っているかに関わりなく存在する。生理用パンツ又はパンティーは、身体の動きの範囲全体にわたりこの領域で変形された尖った形状の断面形状を保つことが好ましい。吸収性物品は、このフィット性を達成しようとする生理用パンツ又はパンティーの性質を変更しない又は無効にしないことが好ましい。吸収性物品は、この領域において生理用パンツ又はパンティーと同様の形状（及び好ましくは、同じように変形した尖った形状）をとるように、生理用パンツ又はパンティーによってもたらされる力で湾曲することが好ましい。
【００１２】
吸収性物品及び生理用パンツ又はパンティーは、傷口を包帯で覆うのに似ていると考えられる方法で機能することが好ましい。体液は、体液の流出点の適所に吸収性物品を保持するための密な身体接触及び十分な力を使用して、流出点又はその近辺で獲得される。これは、体液の流出点の下方でドロップクロスを使用していると類推され得る方法で機能する、ぴったりしていないパンティー内での大きすぎる生理用ナプキンの使用と対比することができる。吸収性物品は、着用者の外陰部、着用者の会陰を覆ってよく、延在して着用者の肛門を覆ってよい。吸収性物品は、着用者の恥丘を越えて前方に延在しないことが好ましい。そうすることにより、吸収性物品が塞ぐのは着用者の身体の股部領域のより小さい領域となり、該領域の周囲を空気が循環できるので、より快適かつより目立たない吸収性物品がもたらされる。吸収性物品は、陰唇を前側から後側へカップ状に受けるのが好ましい。
【００１３】
本明細書で使用するとき、用語「吸収性物品」とは、体液又は身体滲出物を吸収及び収容する物品を指し、より具体的には、着用者の身体に接して又は近接して定置されて、身体から排泄される様々な滲出物を吸収及び収容する物品を指す。本明細書で使用するとき、用語「使い捨て」は、洗濯するか又は別の方法で吸収性物品として復元若しくは再使用することを意図したものでない吸収性物品を表す（すなわち、それらの吸収性物品は、一度使用した後に廃棄されることを、好ましくは、環境に適合する方法で処分されることを意図したものである）。例示の吸収性物品は、使い捨て婦人衛生吸収性物品を含む。このような物品は、生理用ナプキン、陰唇間製品、及びパンティーライナーを含む。婦人衛生物品は乳児用おむつを含まない。
【００１４】
本明細書で使用するとき、用語「吸収性コア」とは、体液の獲得、分配及び貯蔵を含む、物品の液体処理特性に主として関与する吸収性物品の構成要素を指す。したがって、吸収性コアは、典型的には吸収性物品のトップシート又はバックシートを含まない。
【００１５】
本明細書で使用するとき、用語「弾性」、「エラストマー」、及び「エラストマーの」は、破断又は破裂することなく一般に少なくとも５０％のひずみまで伸びが可能であり、ひずみの原因となる変形力が除去された後に実質的にその最初の寸法まで回復可能である材料を指す。
【００１６】
本明細書で使用するとき、用語「生理用パンツ又はパンティー」は、吸収性物品と共に着用されるように設計された下着を指す。生理用パンツ又はパンティーは、パンツ又はパンティーが身体にぴったり合うように腰部領域及び股部領域の両方で身体に力を加えるように設計されてよい。
【００１７】
図１は、生理用ナプキン又はパンティーライナーであってよく、身体接触面１２と、複数の開口部２４を有するトップシート１４の少なくとも一部２０と、を有する吸収性物品１０を示す。吸収性物品１０は、トップシート１４に結合された液体不透過性バックシート１６と、トップシートとバックシートとの間に配置された吸収性コア１８と、を有する。生理用ナプキン１０は長手方向軸Ｌを有し、また当該技術分野において既知の「ウィング」又は「フラップ」（図示せず）、及び／又はトップシートから吸収性コア１８への流体輸送を促進するためのトップシートと吸収性コアとの間の流体獲得層を含む生理用ナプキンに一般的に見られる追加的特徴を備えてもよい。本発明の吸収性物品１０のトップシート１４は、少なくともその身体接触面１２に配置されるローション組成物２２を有することができる。
【００１８】
用語「身体接触面」及び「着用者接触面」は、本明細書では同じ意味で使用され、使用期間中のある時に着用者／ユーザーと物品の表面との間の接触のために着用者／ユーザーの身体に向かって又は近接して着用されるか又は位置付けられることが意図される、任意の物品構成要素の１つ以上の表面を指す。用語「衣類面」とは、本明細書で使用するとき、着用者の下着に近接して着用されるか、若しくは位置付けられることが意図される、任意の物品構成要素の外側面若しくは外面を指し、又はユーザーによって着用されない吸収性物品の場合は、衣類面は一般にユーザーの手若しくは吸収性物品の使用を支援する他の用具に近接して位置付けられる。本発明は、着用されることが意図されなくてもよいが、本発明のローション組成物を移動する間に排泄物を吸収するために使用される吸収性物品を意図しているので、本明細書で使用するとき、用語「着用者」及び「ユーザー」は同じ意味で使用される。
【００１９】
図１では、２本の平行の縞、つまり帯に適用したときのローション組成物（ローション）２２を示す。ローション２２は、当該技術分野において既知の手法により、当該技術分野において既知の任意のパターンで適用することができる。例えば、ローション２２は、ビーズ、帯、縞、及び連続的なコーティングとして適用することができる。図２に示すように、ローション２２は、身体接触面１２の中心に配置された領域などの別個の区域に適用することができる。
【００２０】
生理用ナプキンのトップシート１４は、Ａｌｗａｙｓ（登録商標）生理用ナプキンで使用されるＤｒｉ−ｗｅａｖｅ（登録商標）トップシートなど、生理用ナプキンの当該技術分野において既知である有孔成形フィルムを含むことができる。同様に、トップシート１４は、例えば、米国特許第５，６２８，０９７号（１９９７年５月１３日発行、Ｂｅｎｓｏｎら）、又は同第５，９１６，６６１号（１９９９年６月２９日発行、Ｂｅｎｓｏｎら）で開示されるような有孔不織布など、有孔不織布ウェブであってもよい。トップシート１４は、粘性月経液、又は突然噴出する流体の流体獲得に役立つように、少なくともトップシート１４の一部２０を貫通する開口部２４を有している。図１に示すように、吸収性コア１８を覆う中心部分は、概ね楕円形状のパターンで複数の開口部を有する。開口部は、ハイドロフォーミング（フィルムトップシート及び不織布トップシートの両方で）、ホットピンアパーチュア（hot pin apertureing）、スリット及び伸長などによるものを含む、当該技術分野において既知の任意の手法によって形成され得る。
【００２１】
複数の開口部２４を備えるトップシート１４の部分２０は、楕円形状に限定されたり、又は吸収性コア１８を覆う中心部分２０にあるように限定されたりする必要はない。例えば、図２に示すように、複数の開口部を有するトップシート１４の部分は、中心を外れて、吸収性物品１０の他方の端部よりも一方の端部の近くに配置することができる。同様に、複数の開口部は、図２に示すほぼ円形状を含む任意の形状のパターンを形成することができる。
【００２２】
広くは、開口部２４を備える部分２０は、部分２０を形成する開口部の密度によって識別することができる。例えば、開口部は、図１及び２に示すように開口部の領域又は区域を形成する密に離間配置された開口部の比較的密に離間配置された列であってもよい。同様に、トップシート１４には開口部２４を備える２つ以上の部分２０、つまり２つ以上の領域又は区域が存在してもよい。
【００２３】
トップシート１４は、Ｐｅｇａｓから購入した３０ｇｓｍの疎水性バイコンポーネント繊維状不織布であってよく、米国特許第５，６２８，０９７号（１９９７年５月１３日発行、Ｂｅｎｓｏｎら）、又は同第５，９１６，６６１号（１９９９年６月２９日発行、Ｂｅｎｓｏｎら）に開示されるようなプロセスに従って開口部が形成されてよい。トップシートは、親水性繊維、疎水性繊維、又はそれらの組み合わせを含んでよい。開口部２４の面積は平均２．３ｍｍ２であってよく、開口部２４を含む部分２０は２３％の平均開口率を有してよい。開口部の寸法及び開口率は、区域２０ごとに変更可能である。例えば、開口部は約２ｍｍ２〜約５ｍｍ２であってよく、開口率は約１０％〜約５０％であってよい。
【００２４】
開口部２４は、通常の毛細管現象の原理で吸収しない、より粘性の高い流体又は固体粒子分を有する流体のための開口通路を提供するという有益な目的に役立つことができる。例えば、経血は、（尿又は水と比べて）比較的粘性を有すると共に、かなりの量の固体成分、並びに、塊になっている、糸を引く、又は別様に吸収が難しい流体成分を含有している。このような成分は、経血の粘性がより低い成分と同様に、開口部２４を通過することによって、吸収性物品１０の吸収性コア１８に容易かつ迅速にアクセスすることができる。
【００２５】
図２に示すように、開口部２４は、吸収性物品１０から流出しやすく、着用者の衣類を汚す恐れがあるはずの流体及び流体成分を取り込む更なる効果を提供することができる。例えば、流体が図２に示される吸収性物品１０の長手方向末端部に向かって流出した場合、開口部２４の部分は、流体が進む際に捕捉し、比較的遮られることなく下にある吸収性コアへと移動させることができる。
【００２６】
トップシートは、部分２０の開口率が異なる複数の部分２０を有することができ、及び／又はそれぞれ対応の部分の複数の開口部２４の面積寸法は異なっている。例えば、装置１０は、図１に示すように、例えば１ｍｍ２〜約３ｍｍ２の面積を有する比較的小さな開口部を有することができる中心部分２０、及び図２に示すように、例えば約２ｍｍ２〜約５ｍｍ２の面積を有する比較的大きな開口部を有する長手方向に分離した部分２０を有することができる。開口部２４の面積寸法は、無作為に、又は装置の一部分から別の部分まで緩やかな勾配で変化させることができる。開口部が米国特許第５，６２８，０９７号（１９９７年５月１３日発行、Ｂｅｎｓｏｎら）、又は同第５，９１６，６６１号（１９９９年６月２９日発行、Ｂｅｎｓｏｎら）に開示されるような方法によって作製されるとき、融着箇所の長さ及び／又はリングロールにおける伸長の量を変化させることにより、面積寸法を装置の位置に対して変更することができる。
【００２７】
生理用ナプキンのトップシート１４は、既知の様々な任意の特徴を有することができる。例えば、トップシート１４は、その中に流量を向けるためのエンボス加工されたチャネル又は他のテクスチャ加工された表面を有することができる。例えばインクジェット印刷によって、様々な視覚信号、しるし、又は他のマークを追加することができる。
【００２８】
本発明の効果は、開口部２４の開口面積及びトップシートのキャリパー（厚さ）に対する部分２０の開口率を、例えば、経血など所与の流体に対して最適化されるように調整することによって最適化することができる。親水性の吸収性コア１８を使用すること、及びトップシート１４を吸収性コア１８と持続的に密着させておくことが有益であると考えられる。この方法では、開口部２４に入る経血は、開口部２４に保持されるのではなく、通過してコア１８に入り込む可能性が高い。広くは、所与の流体、トップシート及び吸収性コアのシステムでは、（坪量を増加させ得る）厚みの増加と共に開口率を増加させることが有益であると考えられる。一実施形態では、約１ｍｍの比較的低いキャリパーを有する不織布トップシートは、約２０％〜約３０％の開口率を有し得る。約３ｍｍの比較的高いキャリパーを有するトップシートは、約３０％〜約５０％の開口率を有し得る。
【００２９】
生理用ナプキンとして使用される吸収性物品１０の望ましいフィット性は、図３に示す形状を有するものとして説明され得る。すなわち、使用中の吸収性物品１０は、前側から後側へ概ね凹状であることはもちろん、前側がカップ形状、中央が「Ｗ」形状、及び後側が「Ｖ」形状であってよい。この複雑な形状は、概して扁平な又は扁平に折り畳まれた構成の生理用ナプキンなどの装置を製造及び販売する際、実現が困難である。
【００３０】
トップシート又はバックシートなどの吸収性物品１０の多くの要素は、本来可撓性があり柔軟であるため、その製品を使用する際、柔軟性のあるフィットを可能とした吸収性コアの提供により、フィット性の改善を最もよく促進することができる。そのような吸収性コアは、図４に示す形成部を有することができる。
【００３１】
吸収性コアは、要素を形成する役割を果たす、様々な可撓性の別個の区域を有することができる。その区域は、様々なパターンの材料変形によって画定することができる。そのようなコアに有用な１つの材料は、ポリウレタンフォーム又はＨＩＰＥフォームなどの柔軟な吸収性フォームである。吸収性物品１０は、高容量かつ高吸収性のコア１８を含んでよい。吸収性コア１８は、一般には、米国特許第５，５５０，１６７号、同第５，３８７，２０７号、同第５，３５２，７１１号、及び同第５，３３１，０１５号に開示されるような、ＨＩＰＥフォームというタイプであってよい。一実施形態では、吸収性コア１８は、３０ｃｍで脱着後、その自由吸収容量の約１０％未満の容量、約３〜約２０ｃｍの毛管吸収圧力、約８〜約２５ｃｍの毛管脱着圧力、５．１ｋＰａ（０．７４ｐｓｉ）の制限圧力下で測定したときに約５〜約８５％の圧縮たわみに対する抵抗、及びグラム当たり約４〜１２５グラムの自由吸収容量を有し得る。これらのパラメーターのそれぞれは、米国特許第５，５５０，１６７号（１９９６年８月２７日発行、ＤｅｓＭａｒａｉｓ）に記載のように測定し得る。前述の特性により、吸収性コア１８は身体の形状にぴったり合いながら、流体を吸い上げることができるようになる。開示されたようなエアレイド又はＨＩＰＥフォームコアを利用する１つの利点は、吸収性コアを極めて薄く作製し得ることである。例えば、本発明の吸収性コアの平均キャリパー（厚さ）は、約３ｍｍ未満、又は２ｍｍ未満にすることができ、厚さは約１ｍｍ未満にすることができる。フォームは、不織布バット、エアフェルト、及びコフォーム材料などの従来の吸収性コア材料より容易に変形させることができる。しかしながら、以下に開示されるような開口部又は溝の形成は、米国特許第６，７０２，９１７号（２００４年３月９日発行、Ｖｅｎｔｕｒｉｎｏ）に開示されるようなロータリーダイカッターを含む、既知の打抜き機器により、より容易にフォームで実現できる。そのようなロータリーダイカッターは、溝３０をカットし、同時に吸収性コアをカットして成形するように変更することができる。
【００３２】
図４に示すように、吸収性コア１８は横断方向中心線Ｔに対して非対称であってよく、横方向の補強材３４などの成形要素を有してもよい。横方向の補強材３４は、吸収性コア１８の長手方向縁部に沿って強さを増すことができる。横方向の補強材３４は、約１０ｍｍ〜約２５ｍｍの幅のバンド又はストリップであってよく、概してコア１８の長さに延在する。横方向の補強材３４は、コア１８の縁部に配置することにより、装置１０の着用時に横方向にわずかに変形を受ける領域に配置され、脚によって加えられる圧縮力をカッピング又は曲げることが望ましい装置の他の領域に伝達することができる。横方向の補強材３４は、吸収性コア又は吸収性コアに結合した相対的に硬い追加の材料に適用される接着剤を含むことができる。接着剤が横方向の補強材３４に使用される場合、該接着剤はまた、吸収性コア１８をバックシート１６に接着することができる。
【００３３】
吸収性コア１８は、使用前に少なくとも約１ｍｍの平均間隙幅を有する複数の横配向溝３０を有することができる。溝３０は、長手方向中心線Ｌにおいて長手方向中心線に垂直な主要ベクトル成分を有する場合、横配向と見なされる。したがって、図４に示すように、溝３０は、ほぼ平行で、中心線Ｌにそれぞれ平行な概ね直線状の溝であってよく、したがって、長手方向にベクトル成分を有さない。溝３０は、図５及び６に示すような、概ね湾曲配向を含む他の構成を有することができる。吸収性コアは、所望の折り曲げ及び折り畳みを容易にするために追加の修正及び機構を有することができる。例えば、吸収性コア１８は、追加のスリット、開口部、ミシン目、脆弱線などを有することができる。具体的には、１つの実施形態において、長手方向中心線Ｌの少なくとも一部に沿ったミシン目又は折り線のような脆弱線は、中心線に沿って盛り上がったこぶ又は隆起部の適切な形成を助けることができる。
【００３４】
溝は、コア材料によって完全に囲まれてもよい。つまり、溝は、完全に内部に配置することができ、各溝は図６に示す端部３１のような２つの端部を有する。概して、線３３として示す想像直線は、溝３０の端部３１を結び、コア１８の中間区域４２内の開口部３２によって形成される縁部と揃えることができる。以下に更に詳細に開示するように、想像線３３を、複雑な三次元形状の横方向の圧縮形成に役立つように横方向の補強材３４の縁部と関係づけることができる。
【００３５】
図５は、通常砂時計形状を有する生理用ナプキンのバックシート１６に被せて位置付けられている吸収性コア１８を見るために、トップシートが取り除かれた生理用ナプキンを示す。図６は、吸収性コアを単独で示し、吸収性コアの３つの区域を特定できることを示す。コア１８の前側の第１区域４０は、非対称コアの最も狭い端部であり、横方向の補強材及び着用時に凹状形状になるカップのみを有することができる。中央区域４２は、流体獲得及び中央区域の強さの低減の両方に役立ち得る開口部３２を備えることができる。開口部をより多く若しくより少なく作製することにより、又は開口部３２の寸法及び面密度を変更することにより、強さを必要又は所望に応じ低下させることができる。コア１８の後側の第３区域４４は、着用時に装置１０の後側になることを意図しており、溝３０を有することができる。
【００３６】
溝３０は、図３に示すように吸収性物品を曲げたときに、剛軟度の低下をもたらす。つまり、装置が着用されると、コア１８の第３区域を含む後側部分が着用者の臀部の溝を含む臀部周囲で曲げられ、吸収性物品１０も、この領域のコアの圧縮を可能にする溝３０によりそれにしたがって曲がることができる。したがって、吸収性物品１０が着用者の生体構造に対して凹状形状に曲がるとき、溝３０用に材料が取り除かれてその領域に対する圧縮が可能になる場所の材料の欠如により、吸収性コア１８が曲がり、その結果ぴったり合うことができる。このことは、材料が陰唇の形状にぴったり合うことも可能にする。
【００３７】
曲げる際の溝３０の圧縮は、より良いフィット性と快適さのための着用者の生体構造に対する曲げやすさ、及び着用者の臀部の溝にフィットするためのほぼ逆「Ｖ」字型への曲げやすさの両方を達成し、その結果、この領域における身体からの流体の流出を最小にする。したがって、両長手方向の折り畳みが複数軸内で達成されて、フィット性と流体処理の両方の利点を助ける。吸収性物品１０の後側部分内で長手方向軸の約１２ｍｍに沿って圧縮を提供するために離間配置された溝は、フィット性及び流体保護効果に十分であり得るとわかっている。一実施形態では、約１０ｍｍ離れて離間配置され、約２ｍｍの幅を有する６本の溝で十分であることがわかった。
【００３８】
吸収性コア１８は、吸収性物品１０が包装用に二次元の平坦な装置として製造されるにも関わらず、着用者が使用するときには複雑な三次元形状を達成することを可能にする。複雑な三次元形状をとるのを補助するため、吸収性コア１８は弾性部材３６を含むことができる。弾性部材３６は、コア１８の少なくとも２つの端部でコア１８に付着又は結合される弾性材料のストランドであってよい。弾性部材３６は、約４０グラム〜約１００グラムの収縮力によって１５ｍｍ〜５０ｍｍの収縮をもたらすことができる。一実施形態では、弾性部材は２０ｍｍ〜３０ｍｍの収縮をもたらすことができ、収縮力は５０グラム〜６０グラムであってよい。弾性部材は、Ｒｈｏｄｅ  Ｉｓｌａｎｄ  Ｔｅｘｔｉｌｅ  Ｃｏ．（Ｐａｗｔｕｃｋｅｔ，ＲＩ）から入手可能であるＳｔｒｅｔｃｈｒｉｔｅ（登録商標）ソフト伸長弾性体３ｍｍ幅（約０．１２５インチ）であってよい。通常の平坦な状態で包装するとき、弾性体３６を伸長した状態にすることができる。包装を除去する際及び／又は着用されると、弾性体３６は収縮することができ、溝３０の領域内で第３区域の圧縮を引き起こす。長手方向中心線Ｌに沿って揃えられた弾性ストリップ又はストランド３６の収縮は、図５に示すように、吸収性物品１０の後側部分において吸収性コアをより明確な安定した逆Ｖ字型に引く傾向がある。
【００３９】
トップシートとして使用するのに好適な有孔フィルム材料としては、身体滲出液に対して非吸収性及び透過性であり、トップシートを通る流体の逆流を最小にするか又は排除する有孔のプラスチックフィルムが挙げられる。有孔及び無孔成形フィルムを含む他の好適な成形フィルムの非限定例は、米国特許第３，９２９，１３５号（１９７５年１２月３０日発行、Ｔｈｏｍｐｓｏｎ）、同第４，３２４，２４６号（１９８２年４月１３日発行、Ｍｕｌｌａｎｅら）、同第４，３２４，３１４号（１９８２年８月３日発行、Ｒａｄｅｌら）、同第４，４６３，０４５号（１９８４年７月３１日発行、Ａｈｒら）、同第５，００６，３９４号（１９９１年４月９日発行、Ｂａｉｒｄ）、同第４，６０９，５１８号（１９８６年９月２日発行、Ｃｕｒｒｏら）、及び同第４，６２９，６４３号（１９８６年１２月１６日発行、Ｃｕｒｒｏら）に更に詳しく記述されている。市販されている成形フィルムのトップシートとしては、Ｐｒｏｃｔｅｒ＆Ｇａｍｂｌｅ  Ｃｏｍｐａｎｙ（Ｃｉｎｃｉｎｎａｔｉ，Ｏｈｉｏ）より商標名ＤＲＩ−ＷＥＡＶＥ（登録商標）として市販されているトップシート材料が挙げられる。
【００４０】
トップシートとして使用するのに好適な織布及び不織布材料の非限定例としては、天然繊維、改質天然繊維、合成繊維、又はそれらの組み合わせから製造されたファイバー材料が挙げられる。これらのファイバー材料は、親水性又は疎水性のどちらかであってよいが、トップシートは疎水性であるか又は疎水性にされることが好ましい。親水性構成成分を含有するトップシートを作製する任意の既知の方法を用いて、オプションとしてトップシートの一部を親水性にすることができる。１つのそのような方法として、米国特許第４，９５０，２６４号（１９９０年８月２１日発行、Ｏｓｂｏｒｎ）に記載されるような、不織布／有孔熱可塑性樹脂成形フィルムトップシートの有孔フィルム構成成分を界面活性剤を使用して処理する方法が挙げられる。界面活性剤を使用してトップシートを処理するプロセスを記載するその他の好適な方法は、米国特許第４，９８８，３４４号及び第４，９８８，３４５号（いずれも１９９１年１月２９日発行、Ｒｅｉｓｉｎｇら）に記載されている。トップシートは、親水性繊維、疎水性繊維、又はそれらの組み合わせを含むことができる。
【００４１】
トップシートが不織布ウェブの形態の不織布繊維性材料を含む場合、不織布ウェブは不織布ウェブを作製する任意の既知の手順により製造されてよく、この非限定的な例としては、スパンボンディング、カーディング、ウェットレイド、エアレイド、メルトブローン、ニードルパンチング、機械交絡、熱機械交絡及び水流交絡が挙げられる。他の好適な不織布材料としては、低坪量不織布、すなわち、約１８ｇ／ｍ２〜約２５ｇ／ｍ２の坪量を有する不織布が挙げられる。そのような不織布材料の例は、Ｗａｌｐｏｌｅ，ＭａｓｓａｃｈｕｓｅｔｔｓにあるＩｎｔｅｒｎａｔｉｏｎａｌ  Ｐａｐｅｒ  Ｃｏｍｐａｎｙの事業部であるＶｅｒａｔｅｃ，Ｉｎｃｏｒｐｏｒａｔｉｏｎから商標名Ｐ−８で市販されている。
【００４２】
吸収性物品に吸収されかつ収容された排出物が外部に漏れるのをバックシートが防止する限りにおいて、バックシートは任意の既知の又は他の有効なバックシート材料であってよい。バックシートとしての使用に好適な可撓性材料としては、織布材料及び不織布材料、積層組織、ポリエチレン及び／若しくはポリプロピレンの熱可塑性フィルムのような高分子フィルム、フィルムコーティングされている不織布材料のような複合材、又はこれらの組み合わせが挙げられるが、これらに限定されない。
【００４３】
吸収性コアは典型的には、トップシートとバックシートとの間に配置される。本明細書で使用する「吸収性コア」という用語は、尿、血液、経血、及び身体滲出液中に見出される水分のような水性流体を、吸収、分配、及び貯蔵するために好適な材料又は材料の組み合わせを指す。吸収性コアの寸法及び形状は、吸収能力要件に適合するように、及び、着用者／ユーザーに快適性を提供するように変更することができる。
【００４４】
吸収性コアは、少なくとも約１２ｃｍの３０分垂直ウィッキング高さを呈することができる。吸収性コアは、少なくとも約１５ｃｍの６０分垂直ウィッキング高さを呈することができる吸収性フォーム材料を含む。垂直ウィッキング、すなわち、重力と反対の方向への流体ウィッキングは、本明細書の吸収性構造体にとって特に望ましい性能属性である。これら構造体は、吸収されるべき流体を物品の吸収性コア内の比較的低い位置から比較的高い位置へ、及び面内で水平に、物品内で間違いなく移動させるように、吸収性物品で使用される。したがって、これらの吸収性構造体の流体を重力に反してウィッキングする能力は、本発明の吸収性物品の吸収性材料としての機能に特に関係がある。
【００４５】
本明細書で有用な吸収性構造体の垂直ウィッキングの効果は、様々な方法で測定及び定量化することができるが、垂直ウィッキング性能の１つの代表的な指標は、垂直に位置付けられた吸収性材料のテストストリップが合成尿（０．９％食塩水溶液）を収容容器から特定の時間内に吸い上げる高さである。本発明の目的では、この高さは、垂直ウィッキング高さと呼ばれ、米国特許第５，１４７，３４５号（１９９２年９月１５日発行、Ｙｏｕｎｇら）に記載される手順によって測定され、この記載は本明細書に参考として組み込まれる。
【００４６】
吸収性物品はまた、好適なローション組成物を任意の好適な量で含むことができる。一般に、安全かつ有効な量のローション組成物が本明細書で説明する吸収性物品に施され、このような安全かつ有効な量は、約０．００１５ｍｇ／ｃｍ２（０．０１ｍｇ／インチ２）〜約１００．５ｍｇ／ｃｍ２（６４８ｍｇ／インチ２）、好ましくは約０．００３ｍｇ／ｃｍ２（０．０２ｍｇ／インチ２）〜約１２．４ｍｇ／ｃｍ２（８０ｍｇ／インチ２）、より好ましくは約０．０２ｍｇ／ｃｍ２（０．０１５ｍｇ／インチ２）〜約７．７５ｍｇ／ｃｍ２（５０ｍｇ／インチ２）のローション組成物を吸収性物品に塗布することを含む。
【００４７】
本明細書に記載した使い捨て吸収性物品のような吸収性物品を組み立てる方法としては、使い捨て吸収性物品を構築及び構成するための当該技術分野において既知の従来技術が挙げられる。例えば、バックシート及び／又はトップシートは、接着剤の均一な連続層、接着剤の模様付き層、又は接着剤の別個の線、螺旋、又は点の配列により、吸収性コアに結合させるか、又は互いに結合させることができる。満足のいくものであることが判明した接着剤は、Ｈ．Ｂ．Ｆｕｌｌｅｒ  Ｃｏｍｐａｎｙ（Ｓｔ．Ｐａｕｌ，Ｍｉｎｎｅｓｏｔａ）によって、ＨＬ−１２５８又はＨ−２０３１の名称で製造されている。
【００４８】
図７及び８は、生理用パンツ又はパンティー３８の形態のサポート用衣類の前面図及び背面図を示す。図７及び８に示すように、生理用パンツ又はパンティー３８は、前側パネルの形態であってよい前側部分５０、後側パネルの形態であってよい後側部分５２、股部パネルの形態であってよい股部領域又は部分５４、伸縮性があってよい一組の脚部開口部６０、及び伸縮性のあるウェストバンド５６を備える。生理用パンツ又はパンティー３８はまた、生理用パンツ又はパンティー３８へ入ることを可能にする腰部開口部４６と共に提供される。生理用パンツ又はパンティー３８は、後側部分５２内の長手方向中心線Ｌ１に沿って配置された引き上げストリップ６２、及び股部部分５４内の長手方向中心線に沿って配置された長手方向伸長制御部材６４などの伸長可能な引き上げ部材を更に含む。股部部分５４の前側端部の任意の継ぎ目又はガセット７０は、恥骨が生理用パンツ又はパンティーのフィット性を妨げないように恥骨の下側又は後側（すなわち、後部）に存在するように位置決めされるのが好ましいことに注意されたい。本明細書に記載される生理用パンツ又はパンティー３８の任意の又はすべての形成部は、生理用パンツ又はパンティーに編み込まれてよく、一緒に縫い合わせた生理用パンツ又はパンティーの一部を備える必要がないこともまた理解されたい。
【００４９】
伸長可能な引き上げ部材又は引き上げストリップ６２は、エラストマー材を含んでよい。エラストマー材は、１つ以上の弾性ストランド、エラストマーフィルム、エラストマーリボン、エラストマー不織布、エラストマーフィラメント、エラストマー系接着剤、エラストマーフォーム、スクリム、又はそれらの組み合わせを含んでよい。
【００５０】
吸収性物品１０は、生理用パンツ又はパンティー３８の股部部分内に吸収性物品１０を配置することによって使用され得る。吸収性物品１０は、一端部が生理用パンツ又はパンティーの前側部分の方へ、他の端部が生理用パンツ又はパンティーの後側部分へ延在した状態で、生理用パンツ又はパンティーの股部５４部分内に配置される。吸収性物品１０は、恥丘から肛門へ覆うように延在してよい。バックシート１６は、生理用パンツ又はパンティーの股部部分５４の中央の内側表面と接触して配置される。吸収性物品は、本明細書に参照として組み込まれる米国特許第８，０８３，７２５号（Ｂｏｎｅｌｌｉらに２０１１年１２月２７日米国で発行）に記載されたもののような毛髪のような突起物７４を含んでよい。吸収性物品の衣類に面する側面７８上の機械的止着材７６の毛髪のような突起物７４は、生理用パンツ又はパンティー３８の股部部分５４が作製される編み織物材に係合する。着用者は次に生理用パンツ又はパンティー３８を引っぱってはく。
【００５１】
生理用パンツ又はパンティー３８は、適切なパッド配置を決定するための指示マークを有してよい。これらのマークは、吸収性物品を適切に定置するための生理用パンツ若しくはパンティー及び／又は吸収性物品上の印刷信号、物品を定置するための吸収性物品の物理的態様（例えば、ウィングの中央など）の使用、生理用パンツ若しくはパンティーの物理的特徴（例えば、タグ、縫い目、色の変更など）、並びに／又は吸収性物品を定置するための、吸収性物品上の印刷信号と吸収性物品の物理的特徴との間の関係の使用であってよい。
【００５２】
図９及び１０は、それぞれ、着用者の脚ＬＧが離れているとき、及び着用者の脚ＬＧが揃っているときに従来の先行技術のパンティーが股部領域でどのようにフィットするかの実施例を示す。図９に示すように、着用者の脚が離れているとき、従来のパンティーの股部領域は、着用者の陰唇（参照文字Ｊにより表わされる）間の隙間を中心とした長手方向に向けられた領域に沿って「隙間を作る」。図１０に示すように、着用者の脚が揃っているとき、これらの従来のパンティーの股部領域は弛む。
【００５３】
それに対し、図１１及び１２に模式的に示される生理用パンツ又はパンティーは、着用者の脚が離れているか又は揃っているかに関わらず、大陰唇の内側表面及び外側表面に快適にフィットし、ぴったり合う。生理用パンツ又はパンティーは、「ガードルのような」有意な力を加えずに着用者の身体の所望領域の被覆を維持する。図１１及び１２に断面で示すように、生理用パンツ又はパンティーは、身体の動きの範囲全体にわたり（すなわち、動的に）この領域で変形された尖頭形状の外形を保つことが好ましい。生理用パンツ又はパンティーの断面形状は、点Ｐを形成する場合があるが、好ましくは点Ｐを形成しないため、「変形された」尖った形状と表現され、尖頭形状の湾曲部分は、着用者の陰唇間の隙間の長手方向に向けられている領域内で接触するが、この領域ではより丸みを帯び、好ましくは凸状である。
【００５４】
生理用パンツ又はパンティーは、特に股部領域において着用者の身体に対して非常に密にフィットする。すなわち、それは快適な「第２の肌」のようである。吸収性物品１０は、この「第２の肌」のフィット性を得るために、生理用パンツ又はパンティーの性質を変更しない又は無効にしないことが好ましい。吸収性物品１０は、生理用パンツ又はパンティーの股部領域に似た形状を呈するように十分な可撓性があることが好ましい。好ましくは、吸収性物品１０はまた、使用中の着用者の外陰部の形状にぴったり合う。特定の実施形態では、吸収性物品は、着用者の脚が揃っているか離れているかに関係なく、着用者の外陰部の形状にぴったり合う。
【００５５】
吸収性物品１０は、吸収性物品を着用者の身体に対して快適に保持するために使用される生理用パンツ又はパンティー３８によって加えられる力で屈曲することができる。吸収性物品がこれらの力で屈曲する場合、吸収性物品は所望のフィット性を得るための生理用パンツ又はパンティーの性質を無効にせず、吸収性物品１０は、生理用パンツ又はパンティー３８の股部領域と似た形状を呈する。本明細書に記載される生理用パンツ又はパンティー３８は、股部を通って着用者の身体に長手方向に２５〜１００ｇ／ｃｍ２の身体接触圧をかけることが好ましい。本明細書に記載される生理用パンツ又はパンティー３８は、着用者の身体に約２５ｇ／ｃｍ２超、約３０ｇ／ｃｍ２超、約３５ｇ／ｃｍ２超、約４０ｇ／ｃｍ２超、約４５ｇ／ｃｍ２超、又は約５０ｇ／ｃｍ２超の身体接触圧をかけることが好ましい。あるいは、本明細書に記載される生理用パンツ又はパンティー３８は、着用者の身体に約１００ｇ／ｃｍ２未満、約９５ｇ／ｃｍ２未満、約９０ｇ／ｃｍ２未満、約８５ｇ／ｃｍ２未満、約８０ｇ／ｃｍ２未満、約７５ｇ／ｃｍ２未満、約７０ｇ／ｃｍ２未満、約６５ｇ／ｃｍ２未満、又は約６０ｇ／ｃｍ２未満の身体接触圧をかけることが好ましい。
【００５６】
吸収性物品を着用者の身体に対して快適に保持するのに使用される生理用パンツ又はパンティー３８はまた、約２００ｇ／ｃｍ〜約２０００ｇ／ｃｍ、約２００ｇ／ｃｍ〜約１２００ｇ／ｃｍ、約２００ｇ／ｃｍ〜約９００ｇ／ｃｍ、約２００ｇ／ｃｍ〜約６００ｇ／ｃｍ、約３００ｇ／ｃｍ〜約８００ｇ／ｃｍ、約３００ｇ／ｃｍ〜約７００ｇ／ｃｍ、約３００ｇ／ｃｍ〜約６００ｇ／ｃｍ、約３００ｇ／ｃｍ〜約５００ｇ／ｃｍ、又は約３００ｇ／ｃｍ〜約４００ｇ／ｃｍの腰部から臀部への力の合計を発揮することができる。いずれの理論にも束縛されるものではないが、軽量の吸収性物品の使用は、吸収性物品を身体に密にぴったり接触した状態に保ちながら、腰部と臀部の比を低減させると考えられる。従来の市販の生理用パンツは、生理用パンツとして着用されるように設計されていない標準の下着より大きな、腰部から臀部への力の合計を発揮する場合がある。このように増強した腰部から臀部への力は、６５０ｇ／ｃｍ〜９００ｇ／ｃｍの範囲であり得る。
【００５７】
【表１】
2015512302.tif 000003
【００５８】
生理用パンツ又はパンティー３８は、身体に対して吸収性物品をしっかりと保持するために、股部領域への垂直の引き上げ力を生成する、股部の中央を通るより短い長手方向長さを有することができる。中央の長手方向長さの貫通部材は、パンティーの全体のピッチより０．５％〜２０％、１％〜１５％、又は１％〜１０％短くてよい。長手方向長さの貫通部材は、取り囲むパンティーの材料よりも１〜１０倍、３〜７倍、又は２〜８倍の硬さの弾性率を有してよい。中央の長手方向長さの貫通部材は、約１０ｇ／ｃｍ２〜約４０ｇ／ｃｍ２、約１５ｇ／ｃｍ２〜約３５ｇ／ｃｍ２、又は約２０ｇ／ｃｍ２〜約３０ｇ／ｃｍ２の弾性率を有してよい。
【００５９】
吸収性物品１０及び生理用パンツ又はパンティー３８はまた、吸収性物品と着用者の身体との接触が持続する性質において、従来の生理用ナプキン及び従来の下着と異なる。一部の現在の生理用ナプキンは、着用中（例えば着用者が座っているときなど）に「Ｗ」形状の断面形状を呈することが時折ある。しかしながら、従来の下着は着用者の身体に対して、着用者が歩いているとき、若しくは立っているとき、又は着用者の脚が離れているときなどのあらゆる状況下で生理用ナプキンを定位置に保持するための一定の力を提供しない。一方、吸収性物品１０及び生理用パンツ又はパンティー３８は、着用者の身体とのそのような持続した接触を提供する。吸収性物品は、着用者の身体と持続的に接触した状態で実質的に維持されると形容されることがあり、その場合、吸収性物品は着用者の身体と完全に及び／又は連続して接触している必要はないが、着用者の身体と非接触である場合より接触して維持される場合の方が多い。
【００６０】
本出願人らは、本明細書に記載された吸収性物品１０及び生理用パンツ又はパンティー３８の使用はまた、着用者の身体との接触を維持するのに必要な一定の力を提供しながら、腰部周囲のより快適なフィット性も可能にすることを発見した。これは、腰部から臀部にかけての力を従来の下着の範囲を超えて増大させることによって吸収性物品の重量を補う従来の生理用パンツと異なる。生理用パンツによって使用されるこれらの増大した腰部から臀部への力は、より大きな吸収性物品を身体近くに維持するのに必要な力を提供する一方で、不快感の原因及び身体に跡が付く原因になり得る。本出願人らは、本明細書に記載された吸収性物品の使用は、腰部から臀部への力を従来の下着に見られるレベルまで低減できることを発見した。
【００６１】
吸収性物品１０は、着用者の陰唇の内面、着用者の陰唇の外面、及び生理用パンツ又はパンティー３８の少なくとも一部との接触を維持しかつ被覆する能力があり得る。吸収性物品１０は、少なくとも約２．５ｃｍ（約１インチ）の凸状幅を有する、着用者の陰唇を中心とした領域を覆うことが好ましい。吸収性物品は、着用者の陰唇の内面を、着用者の膣前庭床と接触及び被覆するまですべて実質的に覆うことができる。吸収性物品はまた、着用者の陰唇の外面の実質的にすべてを覆うことができる。
【００６２】
吸収性物品１０が着用中にとることができる構成を説明する別の方法は、吸収性物品１０の異なる領域を見ることによる。吸収性物品１０は、長手方向中心線Ｌを中心とした長手方向中央領域を有することが好ましく、これは着用者の陰唇間の隙間内に位置付けることができる。この長手方向中央領域は、吸収性物品全体の幅より小さい任意の好適な幅であってもよい。長手方向中央領域は、吸収性物品１０の全長、又は吸収性物品の全長未満に延在してよい。長手方向中央領域は、長手方向中央領域の横外側寄りに位置する吸収性物品１０の少なくともいくつかの部分より、（着用者が立っているとき）高い高さで着用者の陰唇間の隙間内に存在できる少なくとも一部分を（典型的には、吸収性物品の長手方向中心線に沿って）有することが好ましい。吸収性物品１０は、着用者の大腿の内側部分による圧縮なしでそのような構成を呈することができることが好ましい。
【００６３】
吸収性物品１０は、陰唇を前側から後側へカップ状に受けることができる。吸収性物品は、着用者の陰核を覆ってもよいが、着用者の恥丘を越えて前方に実質的に延在しないことが好ましい。吸収性物品は肛門まで延在してもよい。吸収性物品１０は、陰核から少し離れて離間配置されてよいか、又は、着用者の身体の他の領域と関係があるため陰核に対して密接にフィットしてもよい。
【００６４】
着用者の大腿ＬＧの内側表面が接触し得る端部部分が、その上に作用する力を吸収性物品の残部に移動しない場合、吸収性物品が曲がる若しくはくしゃくしゃになる、及び／又は着用者の膣口の下の所望の位置から動く原因になるため、吸収性物品１０は、わずかに大きく製造されてもよい。例えば、所望の可撓性、フィット性、及び本明細書に記載される好ましい小さな寸法の（例えば、外陰部及び会陰の被覆する）吸収性領域を有するが、これらの領域の外側寄りに位置する、吸収力が最小か又は全くない「ドロップクロス」機能の役目を果たすだけの領域を有する吸収性物品１０を作製できることも本明細書では想到される。例えば、そのような領域は、トップシート及びバックシート材料でのみ構成されてもよく、場合によっては吸収性材料の薄層がそれらの間にあってもよい。そのような実施形態はまた、本発明の範囲内に包含されるものと考えられる。
【００６５】
試験方法の項
伸長弾性率試験
この方法は、下着に使用され得る伸張可能な材料の伸長弾性率を、下着の着用サイクルに見られるものと同様の伸長範囲にわたって定量化する。
【００６６】
ＩＮＤＡ（Ａｓｓｏｃｉａｔｉｏｎ  ｏｆ  Ｎｏｎｗｏｖｅｎ  Ｆａｂｒｉｃ  Ｉｎｄｕｓｔｒｙ）Ｓｔａｎｄａｒｄ  Ｔｅｓｔ  １１０．１−９２に記載された方法が適している。
【００６７】
Ｉｎｓｔｒｏｎ  Ｅｎｇｉｎｅｅｒｉｎｇ  Ｃｏｒｐ．（Ｃａｎｔｏｎ，Ｍａｓｓ）又はＳＩＮＴＥＣＨ−ＭＴＳ  Ｃｏｒｐｏｒａｔｉｏｎ，（Ｅｄｅｎ  Ｐｒａｉｒｉｅ，Ｍｉｎｎ）による工業引張試験（又は同等の引張試験機）がこの試験で用いられる。試験速度及びその他の試験パラメーターを制御し、データを収集、計算、及び記録するために、この計器をコンピュータに接続する。伸長弾性率は、一般的な実験室の条件下（つまり、室温約２０℃、相対的湿度約５０％）で測定する。
【００６８】
伸長弾性率を測定する手順は次の工程を伴う。
１．試験用に適切なつかみ具及びロードセルを選択する。つかみ具は試料を装着するのに十分な幅があり、典型的には２．５４ｃｍ（１インチ）幅のつかみ具が使用される。ロードセルは、試験される試料からの引張応答がロードセル又は使用される荷重範囲の容量の２５％〜７５％であるように選択される。典型的には、５０Ｎのロードセルが使用される。
２．メーカーの指示に従って試験装置を較正する。
３．標点距離を６ｃｍ、及び試料幅を１ｃｍにセットする
４．試料の長手方向軸線が標点距離方向に実質的に平行になるようにつかみ具の平面に試料を定置する。
５．２５４ｍｍ／分のクロスヘッド速度で試料を７５％ひずみまで引っ張る。
【００６９】
工程５で収集したたデータから、伸長弾性率は７５％ひずみ〜２５％ひずみの力対ひずみ曲線の線形化された傾きによって測定される。
【００７０】
身体接触力試験
この方法は、伸縮性下着が着用者の身体に及ぼす力を測定する。身体の寸法の変化によるエラーを最小にするため、市販のマネキン人形が使用される。
【００７１】
装置
好適なマネキン人形は女性で、医療関係者のカテーテル法技術の訓練に使用される解剖学的に正確なマネキン人形である。マネキン人形の寸法は、大腿周囲５４ｃｍ、腰部周囲９２ｃｍ、臀部周囲９５ｃｍ、及び鼠径部を通る前側腰部から後側腰部５９ｃｍであり、ＮＡＳＣＯ  ｏｆ  Ｆｔ．（Ａｔｋｉｎｓｏｎ，ＷＩ）からカタログ番号ＬＦ  ８５６で入手可能である。
【００７２】
Ｖｉｓｔａｍｅｄｉｃａｌ，Ｌｔｄ．（Ｗｉｎｎｉｐｅｇ，Ｍａｎｉｔｏｂａ，Ｃａｎａｄａ）から入手可能であるようなＰｒｅｓｓｕｒｅ  Ｓｅｎｓｏｒｓ超薄型ピエゾ抵抗圧力センサー（Ultra thin pizeo resistive pressure sensors）（５ｍｍ×１５ｍｍ、圧力範囲０〜１０ｍｍ  Ｈｇ、生体リード配線付き）。
【００７３】
８ＭＢ  ＲＡＭを備えＷｉｎｄｏｗｓ  ９５ｔオペレーティングシステムを使用するＣｏｍｐｕｔｅｒ  Ｐｅｎｔｉｕｍベースのコンピュータ。Ｄｅｌｌ  Ｃｏｍｐｕｔｅｒ  Ｃｏｒｐ．（Ａｕｓｔｉｎ，ＴＸ）からモデルＬａｔｉｔｕｄｅ  ＬＭとして入手可能なノートブックコンピュータが好適である。
【００７４】
電子工学インターフェイスモジュールモデル
Ｖｉｓｔａｍｅｄｉｃａｌ，Ｌｔｄ．（Ｗｉｎｎｉｐｅｇ，Ｍａｎｉｔｏｂａ，Ｃａｎａｄａ）から入手可能なＦＳＡ−Ｃ−２−１．００
【００７５】
データ取得ソフトウェア
Ｖｉｓｔａｍｅｄｉｃａｌ，Ｌｔｄ．（Ｗｉｎｎｉｐｅｇ，Ｍａｎｉｔｏｂａ，Ｃａｎａｄａ）から入手可能であるようなＦＳＡ  Ｖｅｒｓｉｏｎ  ３．１
【００７６】
方法
１．各センサーからインターフェイスモジュールまでメーカーの指示に従って導線を取り付ける。膨らんだ空気のう（７．５ｇ／ｃｍ２）上にセンサーを定置し、センサーに第１空気のう上に配置された第２空気のうによって提供される既知の圧力（最大７．５ｇ／ｃｍ２）をかけることによって各センサーを較正する。この空気のうはメーカーから供給される収容箱内に収容される。ＦＳＡソフトウェアは、生じた信号を取得し、操作者が入力した較正圧力とこの信号を比較する。この比較は、コンピュータ内のファイルとして保管される較正表を作成するのに使用される。
２．センサーをマネキン人形に両面付着テープ（３Ｍ  （Ｓｔ．Ｐａｕｌ，ＭＮ）から部品番号９５０として入手可能）を使用して取り付ける。センサーの第１ペアを、マネキン人形の尿道を中心とするマネキン人形の小陰唇の頂点に定置する。センサーの第２ペアを、センサーの６ｍｍ前方の位置でマネキン人形の大陰唇の頂点に定置する。センサーの第３ペアを、マネキン人形の小陰唇の後交連の後方３２ｍｍの位置でマネキン人形の臀筋の表面に定置する。センサーの第４かつ最後のセットを、マネキン人形の尿道の中心の前方６５ｍｍの位置でマネキン人形の小丘の表面に定置する。
３．滑らかに、またマネキン人形の冠状中心線に対して対称的に配置されるように、衣類を引っ張ってマネキン人形にはかせる。衣類が適度にぴったりするように引き上げる必要がある。マネキン人形の小陰唇の後交連の後方３２ｍｍの位置でマネキン人形の臀筋の表面に定置されたセンサー、及びマネキン人形の尿道の中心の前方６５ｍｍの位置でマネキン人形の小丘の表面上に定置されたセンサーで圧力を記録することによって、再現性を向上させることができる。続く衣類の圧力がこれらのセンサーでできるだけ同じ圧力に近くなるように第１の衣類位置の圧力を記録する。
４．インターフェイスモジュール及びソフトウェアをメーカーの指示に従って使用して、残りのセンサーから力データを取得する。最低でも４つの試料を評価する必要がある。所望により、ソフトウェアと共に提供される指示に従って、取得したデータを将来の分析用にスプレッドシートファイルにエクスポートすることができる。
５．各試料の平均と標準偏差を報告する。試料を比較する際、既知の統計技術（例えば、分散分析）を使用することができる。
【００７７】
長手方向のより短いパスレングス試験
この試験は、弛緩したパンティーの長手方向の長さに対する弛緩した伸長可能な引き上げ部材の長手方向のパスレングスを測定する。より短いパスレングスは、より高い伸長弾性率と相まって股部を通した適合を促進する。
【００７８】
方法
１．伸長可能な引き上げ部材をパンティーから切り離す。
２．脚部弾性体をパンティーから切り離す。
３．パンティーを、テープを付けないおむつと同様の外観を実現して開いて置けるように、残りのパンティーを両脚部開口部で腰部開口部まで長手方向に切る。
４．前側腰部の上部及び後側腰部の上部が長手方向に分かれるように、パンティーを平らに置く。
５．切り離した伸長可能な引き上げ部材を、部材と切り離された開口部との間の長手方向長さの差がパンティーの後側腰部に反映されるように、それを取り除いた残りの開口部に置く。
６．前側腰部から後側腰部まで長手方向長さを測定する。
７．前側腰部から後側腰部に最も近くなるように置いた伸長可能な引き上げ部材の端部までの長手方向長さを測定する。
８．工程７の測定値から工程６の測定値への減少率は、伸長可能な引き上げ部材で有効なパスレングスの減少である。
【００７９】
本明細書に開示した寸法及び値は、列挙された正確な数値に厳しく制限されるものとして理解すべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【００８０】
本発明の「発明を実施するための形態」で引用したすべての文献は、関連部分において本明細書に援用するが、いずれの文献の引用もそうした文献が本発明に対する先行技術であることを容認するものとして解釈されるべきではない。この文書における用語のいずれかの意味又は定義が、参照することにより組み込まれる文献における用語のいずれかの意味又は定義と矛盾する範囲については、本文書においてその用語に与えられた意味又は定義が適用されるものとする。
【００８１】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2015512302.tif 000004
【図２】
2015512302.tif 000005
【図３】
2015512302.tif 000006
【図４】
2015512302.tif 000007
【図５】
2015512302.tif 000008
【図６】
2015512302.tif 000009
【図７】
2015512302.tif 000010
【図８】
2015512302.tif 000011
【図９】
2015512302.tif 000012
【図１０】
2015512302.tif 000013
【図１１】
2015512302.tif 000014
【図１２】
2015512302.tif 000015
【国際調査報告】
2015512302.tif 000016
2015512302.tif 000017
2015512302.tif 000018